(57)【要約】【課題】組立作業が簡単で、自動化などの省力化を容易に図ることができる太陽電池パネルを提供する。【解決手段】平面視矩形をした太陽電池モジュール本体３０と、これを支持する平面視矩形の枠体であって、上面が太陽電池モジュール本体３０の周縁部を支持する受面になった支持枠体２と、支持枠体２の受面上に接着され、且つ上面に太陽電池モジュール本体３０が接着される、平面視矩形の枠状をした下部ガスケット２５と、下部ガスケット２５上に接着された太陽電池モジュール本体３０の上面周縁部に接着される、平面視矩形の枠状をした上部ガスケット３５と、この上部ガスケット３５上に接着される、平面視矩形をした押え枠体４０とから構成される。【選択図】図２
2011049355.tif 000002
【特許請求の範囲】
【請求項１】
平面視矩形をした太陽電池モジュール本体と、
前記太陽電池モジュール本体を支持する平面視矩形の枠体であって、上面が前記太陽電池モジュール本体の周縁部を支持する受面になった支持枠体と、
前記支持枠体の受面上に接着され、且つ上面に前記太陽電池モジュール本体が接着される、平面視矩形の枠状をした下部ガスケットと、
前記下部ガスケット上に接着された太陽電池モジュール本体の上面周縁部に接着される、平面視矩形の枠状をした上部ガスケットと、
前記上部ガスケット上に接着される、平面視矩形をした押え枠体とから構成されてなることを特徴とする太陽電池パネル。
【請求項２】
前記支持枠体は、その矩形の各辺に対応した４つの枠部材から構成され、各枠部材は接合部材により前記矩形の角部においてそれぞれ接合されてなることを特徴とする請求項１記載の太陽電池パネル。
【請求項３】
前記接合部材は板状の部材からなり、
前記支持枠体を構成する各枠部材は、前記接合部材が嵌挿される接合溝を、前記接合部の前記上面より下方に備え、
前記各角部で接合される２つの枠部材の前記接合溝に前記接合部材を嵌挿，接着することにより、前記各角部の２つの枠部材同士を接合して、前記矩形の支持枠体としたことを特徴とする請求項１又は２記載の太陽電池パネル。
【請求項４】
前記下部ガスケットは、その各辺部の長手方向に沿って、その下面の内周側縁に、該下面から下方に鉤状に突出する位置決め部を備え、該位置決め部が前記支持枠体の内周面に当接した状態で該支持枠体の受面上に接着されてなることを特徴とする請求項１乃至３記載のいずれかの太陽電池パネル。
【請求項５】
前記上部ガスケットは、その各辺部の長手方向に沿って、その上面の内周側縁に、該上面から上方に鉤状に突出する位置決め部を備えてなり、前記押え枠体は、その内周面が前記位置決め部に当接した状態で該上部ガスケット上に接着されてなることを特徴とする請求項１乃至４記載のいずれかの太陽電池パネル。
【請求項６】
前記支持枠体は、その受面の外周縁に、該縁部に沿って、前記受面から上方に突出する周壁を備え、
前記押え枠体は、その外周面が、前記支持枠体の周壁内周面に当接した状態で前記上部ガスケット上に接着されてなることを特徴とする請求項１乃至５記載のいずれかの太陽電池パネル。
【発明の詳細な説明】
【技術分野】
【０００１】
本発明は、矩形状の太陽電池モジュール本体を枠体により支持した構造を有する太陽電池パネルに関する。
【背景技術】
【０００２】
このような太陽電池パネルとして、従来、特開２００６−２８６８９８号公報に開示されたものが知られている。
【０００３】
同公報に開示されるように、この太陽電池パネルは、平面視矩形状をした太陽電池モジュール本体と、この太陽電池モジュール本体の周縁部に、これを上下から挟持するように装着されるガスケット部と、雌型嵌合部を有し、前記ガスケット部をこの雌型嵌合部に嵌合させることにより、前記ガスケット部を介して前記太陽電池モジュール本体を支持する枠構造とから構成される。
【０００４】
前記ガスケット部は、その断面がコの字状に形成されており、前記太陽電池モジュール本体の周縁部を包み込むように上下から挟持するようになっている。
【０００５】
また、前記枠構造は太陽電池モジュール本体の各辺に対応した４つの部材から構成され、前記ガスケット部を太陽電池モジュール本体の周縁部に装着した後、当該ガスケット部を雌型嵌合部に嵌合させることで、各枠構造がこのガスケット部を介して太陽電池モジュール本体に取り付けられる。
【０００６】
そして、前記４つの枠構造は、太陽電池モジュール本体に装着後、これらが相互に連結される。
【先行技術文献】
【特許文献】
【０００７】
【特許文献１】特開２００６−２８６８９８号公報
【発明の概要】
【発明が解決しようとする課題】
【０００８】
ところが、上述した従来の太陽電池パネルでは、ガスケット部が太陽電池モジュール本体に対して固定されていないため、前記枠構造を組み付けるその取り回し時に、他の辺に装着したガスケット部が離脱し易く、当該組付作業をスムーズに行うことができないという問題があった。
【０００９】
また、各枠構造を太陽電池モジュール本体に組み付けた後、これらを連結する必要があるが、連結作業のためのスペースが限られており、当該連結作業を行い難いという問題もある。
【００１０】
更に、殆どの作業が嵌め込みや連結といった作業であるので、自動化などの省力化への対応が困難であるという問題もある。
【００１１】
本発明は、以上の実情に鑑みなされたものであって、組立作業が簡単で、自動化などの省力化を容易に図ることができる太陽電池パネルの提供を、その目的とする。
【課題を解決するための手段】
【００１２】
上記目的を達成するための本発明は、
平面視矩形をした太陽電池モジュール本体と、
前記太陽電池モジュール本体を支持する平面視矩形の枠体であって、上面が前記太陽電池モジュール本体の周縁部を支持する受面になった支持枠体と、
前記支持枠体の受面上に接着され、且つ上面に前記太陽電池モジュール本体が接着される、平面視矩形の枠状をした下部ガスケットと、
前記下部ガスケット上に接着された太陽電池モジュール本体の上面周縁部に接着される、平面視矩形の枠状をした上部ガスケットと、
前記上部ガスケット上に接着される、平面視矩形をした押え枠体とから構成された太陽電池パネルに係る。
【００１３】
本発明に係る太陽電池パネルは、支持枠体，下部ガスケット，太陽電池モジュール本体，上部ガスケット及び押え枠体を、順次積み重ねながら相互間を接着して固定することにより得られる。
【００１４】
したがって、本発明に係る太陽電池パネルは、高い剛性を有するのみならず、その組立作業が簡便であり、短時間、即ち、低コストで生産することができる。
【００１５】
また、積み重ね構造であるが故に、ロボットなどの自動機を用いた自動化，省力化が容易であり、この意味においても生産コストの低減化を図ることができる。
【００１６】
尚、前記支持枠体は、その矩形の各辺に対応した４つの枠部材から構成され、各枠部材は接合部材により前記矩形の角部においてそれぞれ接合された構成とすることができる。
【００１７】
また、前記接合部材は板状の部材から構成され、
前記支持枠体を構成する各枠部材は、前記接合部材が嵌挿される接合溝を、前記接合部の前記上面より下方に備え、
各角部で接合される２つの枠部材の接合溝に接合部材を嵌挿，接着することにより、各角部の２つの枠部材同士を接合して、前記矩形の支持枠体としても良い。
【００１８】
また、前記下部ガスケットは、その各辺部の長手方向に沿って、その下面の内周側縁に、該下面から下方に鉤状に突出する位置決め部を備え、該位置決め部が前記支持枠体の内周面に当接した状態で該支持枠体の受面上に接着されるように構成されていても良い。
【００１９】
また、前記上部ガスケットは、その各辺部の長手方向に沿って、その上面の内周側縁に、該上面から上方に鉤状に突出する位置決め部を備えてなり、前記押え枠体は、その内周面が前記位置決め部に当接した状態で該上部ガスケット上に接着されるように構成されていても良い。
【００２０】
更に、前記支持枠体は、その受面の外周縁に、該縁部に沿って、前記受面から上方に突出する周壁を備え、
前記押え枠体は、その外周面が、前記支持枠体の周壁内周面に当接した状態で前記上部ガスケット上に接着されるように構成されていても良い。
【発明の効果】
【００２１】
本発明に係る太陽電池パネルによれば、その組立作業が簡便であり、短時間、且つ低コストで生産することができ、ロボットなどの自動機を用いた自動化，省力化が容易であり、この意味においても生産コストの低減化が可能である。
【図面の簡単な説明】
【００２２】
【図１】本発明の一実施形態に係る太陽電池パネルを示す斜視図である。
【図２】図１における矢視Ａ−Ａ方向の断面図である。
【図３】本実施形態に係る支持枠体を示す平面図である。
【図４】図３における矢視Ｂ−Ｂ方向の断面図である。
【図５】本実施形態に係る支持枠体を構成する枠部材の材料取りを説明するための説明図である。
【図６】本実施形態に係る接合部材を示す平面図である。
【図７】本実施形態に係る支持枠体を構成する枠部材を接合した状態を示す部分平面図である。
【図８】図７における矢視Ｃ−Ｃ方向の断面図である。
【図９】本実施形態に係る下部ガスケット及び上部ガスケットを示す平面図である。
【図１０】図９における矢視Ｄ−Ｄ方向の断面図である。
【図１１】支持枠体上に下部ガスケットを接着させた状態を示す部分平面図である。
【図１２】図１１における矢視Ｅ−Ｅ方向の断面図である。
【図１３】下部ガスケット上に太陽電池モジュールを載置、接着させた状態を示す部分平面図である。
【図１４】図１３における矢視Ｆ−Ｆ方向の断面図である。
【図１５】太陽電池モジュール上に上部ガスケットを接着させた状態を示す部分平面図である。
【図１６】図１５における矢視Ｇ−Ｇ方向の断面図である。
【図１７】上部ガスケット上に押え枠体を載置、接着させた状態を示す部分平面図である。
【図１８】図１７における矢視Ｈ−Ｈ方向の断面図である。
【図１９】本実施形態に係る太陽電池パネルの設置例を説明するための部分断面図である。
【発明を実施するための形態】
【００２３】
以下、本発明の好ましい実施の形態を図面に基づいて説明する。図１は、本発明の一実施形態に係る太陽電池パネル全体を示す斜視図であり、図２は、その矢視Ａ−Ａ方向の断面図である。
【００２４】
図２に示すように、本例の太陽電池パネル１は、支持枠体２，下部ガスケット２５，太陽電池モジュール本体３０，上部ガスケット３５及び押え枠体４０を、順次積み重ねた構造を有する。尚、太陽電池モジュール本体３０は、平面視矩形をした公知の太陽電池モジュールであり、その詳しい構成については説明を省略する。
【００２５】
図３に示すように、前記支持枠体２は、矩形の各辺に対応した４つの枠部材２ａ，２ｂ，２ｃ，２ｄから構成され、各枠部材２ａ，２ｂ，２ｃ，２ｄはそれぞれ両端部が切り取られた台形状をなし、当該両端部が相互に接続され、平面形状が額縁状に形成される。
【００２６】
各枠部材２ａ，２ｂ，２ｃ，２ｄは、その断面形状が同形状をなすもので、図４に示すように、水平な底辺部３、この底辺部３の図示右端部に位置する垂直な垂直辺部４、この垂直辺部４の図示上端部に位置する水平な上辺部５、この上辺部５の図示右端部に位置する垂直な周壁部７、前記垂直辺部４の中間部で図示左側に位置する連結辺部６及び同中間部で図示右端側に位置する固定辺部８とから構成される。
【００２７】
前記上辺部５と連結辺部６との間には、後述する接合部材２０が嵌挿される連結溝９が形成され、上辺部５と固定辺部８との間には、同じく後述の固定金具５０が挿入される固定溝１０が形成されている。
【００２８】
尚、前記枠部材２ａ，２ｂ，２ｃ，２ｄは、アルミ製の引き抜き成形材をアルマイト処理した材料から構成され、図５に示すように、引き抜き材をＶ字状に切欠き切断することによって得られる。したがって、長尺の材料を用いて、無駄のない材料取りを行うことができ、低コスト化を図ることができる。
【００２９】
前記接合部材２０は、図６に示すように、相互に直角な２つの辺部２１，２２を有する鉤状をした板材からなり、図７及び図８に示すように、例えば、接合関係にある２つの前記枠部材２ｃ，２ｄの端部を接合した後、それぞれ表裏面に接着剤を塗布した辺部２１を枠部材２ｄの連結溝９に、辺部２２を枠部材２ｃの連結溝９に嵌挿することにより、当該接合部材２０によって、枠部材２ｃ，２ｄが相互に接着される。
【００３０】
斯くして、同様に、枠部材２ａ，２ｄの接合部、枠部材２ａ，２ｂの接合部及び枠部材２ｂ，２ｃの接合部において、各枠部材２ａ，２ｂ，２ｃ，２ｄの連結溝９にそれぞれ接合部材２０を嵌挿して接着することにより、平面形状が矩形状をした支持枠体２が形成される。
【００３１】
尚、この接合部材２０もアルミ製の材料からなり、アルマイト処理が施されている。
【００３２】
前記下部ガスケット２５及び上部ガスケット３５はＥＰＤＭ樹脂からなり、図９及び図１０に示すように、平面形状が矩形の額縁状をなし、その内周側縁部に、その上面から上方に鉤状に突出する位置決め部２６，３６を備えた、断面形状が矢印状を有するものである。
【００３３】
また、下部ガスケット２５及び上部ガスケット３５の外回りの大きさは、前記太陽電池モジュール本体３０のそれと同じ大きさであり、その位置決め部２６，３６の外回りの大きさは、前記支持枠体２の上辺部５の内周部と同じ大きさとなっている。
【００３４】
また、下部ガスケット２５及び上部ガスケット３５は、それぞれその上下面に、両面粘着性を有する接着テープが貼着されている。
【００３５】
斯くして、まず、図１１及び図１２に示すように、下部ガスケット２５を、図９に示した状態から表裏反転させて、位置決め部２６を下にした状態で、当該位置決め部２６の外周部が前記支持枠体２の上辺部５の内周面に当接するように、当該上辺部５の上面１１に接着する。
【００３６】
このようにすることで、下部ガスケット２５を支持枠体２に対して容易に位置決めすることができ、また、下部ガスケット２５が位置ずれするのを防止することができる。
【００３７】
次に、図１３及び図１４に示すように、接着した下部ガスケット２５上に、これと重なり合うように太陽電池モジュール本体３０を積み重ね、当該太陽電池モジュール本体３０を下部ガスケット２５上に接着させる。
【００３８】
そして、この後、図１５及び図１６に示すように、太陽電池モジュール本体３０上に、これと重なり合うように上部ガスケット３５を、図９に示した状態のまま、即ち、位置決め部３６を上にした状態で重ね合わせ、当該上部ガスケット３５を太陽電池モジュール本体３０上に接着する。
【００３９】
前記押え枠体４０は、図１に示すように、前記枠部材２ａ，２ｂ，２ｃ，２ｄに対応する４つの枠部材４０ａ，４０ｂ，４０ｃ，４０ｄからなり、各枠部材４０ａ，４０ｂ，４０ｃ，４０ｄはそれぞれ両端部が切り取られた台形状の平面形状を有し、図１８に示すように、断面形状が水平片部４１及び垂直辺部４２からなる鉤状を有する。
【００４０】
そして、この押え枠体４０は、図１７及び図１８に示すように、その垂直辺部４２の外周面が支持枠体２の周壁部７の内周面に当接し、水平片部４１の内周面が上部ガスケット３５の位置決め部３６の外周面に当接するように、上部ガスケット３５上に積み重ねられ、上部ガスケット３６上の前記接着テープによって当該上部ガスケット３６上に接着される。
【００４１】
このようにして、上部ガスケット３６上に接着された押え枠体４０は、太陽電池モジュール本体３０が抜け出るのを防止する役割を果たすと共に、当該太陽電池モジュール本体３０が横方向に移動するのを防止する役割を為す。
【００４２】
尚、これら枠部材４０ａ，４０ｂ，４０ｃ，４０ｄも前記枠部材２ａ，２ｂ，２ｃ，２ｄと同様に、アルミ製の引き抜き成形材をアルマイト処理した材料から構成され、引き抜き材をＶ字状に切欠き切断することによって得られる。このため、長尺の材料を用いて、無駄のない材料取りを行うことができ、低コスト化を図ることができる。
【００４３】
以上のように、本例の太陽電池パネル１は、支持枠体２，下部ガスケット２５，太陽電池モジュール本体３０，上部ガスケット３５及び押え枠体４０を順次積み重ねると共に、支持枠体２と下部ガスケット２５との間、下部ガスケット２５と太陽電池モジュール本体３０との間、太陽電池モジュール本体３０と上部ガスケット３５との間、上部ガスケット３５と押え枠体４０との間をそれぞれ接着，固定することによって得られ、組立体全体として高い剛性を備えたものとなっている。
【００４４】
また、下から上に積み重ねた積層構造体であるので、その組立作業が簡便であり、短時間、即ち、低コストで生産することができ、また、ロボットなどの自動機を用いた自動化，省力化が容易で、この意味においても生産コストの低減化を図ることができる。
【００４５】
尚、本例の太陽電池パネル１は、その必要数のものが同一平面上に敷き詰められた状態で使用され、その際、図１９に示すように、断面形状がＩ字状を有し、その上辺部５１が固定溝１０に挿入される前記固定金具５０によって、それぞれ、適宜設置場所に固定される。
【００４６】
以上、本発明の一実施の形態について説明したが、本発明が採り得る具体的な態様は何らこれに限定されるものではない。
【符号の説明】
【００４７】
１    太陽電池パネル
２    支持枠体
２０  連結部材
２５  下部ガスケット
２６  位置決め部
３０  太陽電池モジュール
３５  上部ガスケット
３６  位置決め部
４０  押え枠体
【図１】
2011049355.tif 000003
【図２】
2011049355.tif 000004
【図３】
2011049355.tif 000005
【図４】
2011049355.tif 000006
【図５】
2011049355.tif 000007
【図６】
2011049355.tif 000008
【図７】
2011049355.tif 000009
【図８】
2011049355.tif 000010
【図９】
2011049355.tif 000011
【図１０】
2011049355.tif 000012
【図１１】
2011049355.tif 000013
【図１２】
2011049355.tif 000014
【図１３】
2011049355.tif 000015
【図１４】
2011049355.tif 000016
【図１５】
2011049355.tif 000017
【図１６】
2011049355.tif 000018
【図１７】
2011049355.tif 000019
【図１８】
2011049355.tif 000020
【図１９】
2011049355.tif 000021